(57)【要約】【課題】光ファイバケーブルに接続して使用される１個または複数の宅内機器を整理して良好に収納することが可能な宅内機器用収納ラックを提供する。【解決手段】この宅内機器用収納ラックは、宅内に引き込まれた光ファイバケーブルＰに接続して使用される宅内機器収納用のラックである。ラック本体１内に宅内機器Ａ，Ｂ，Ｃを収納して固定する機器収納固定部１ａが設けられる。機器収納固定部１ａには締付ねじ棒５が水平に設けられ、締付ねじ棒５には手動により回転操作可能で且つ宅内機器Ａ，Ｂ，Ｃの一部を押して締め付ける複数の機器締付ナット１５が螺合される。機器締付ナット１５と機器締付ナット１５の間に、または機器締付ナット１５とラック本体１の一部との間に、宅内機器Ａ，Ｂ，Ｃが挟んで配置され、締付固定される。【選択図】図１
0003132892.tif 000002
【実用新案登録請求の範囲】
【請求項１】
宅内に引き込まれた光ファイバケーブルを接続して使用される１個または複数の宅内機器を収納する宅内機器用収納ラックであって、
ラック本体内に該宅内機器を収納して固定する機器収納固定部が設けられ、該機器収納固定部には締付ねじ棒が水平に設けられ、該締付ねじ棒には手動により回転操作可能で且つ宅内機器の一部を押して締め付ける複数の機器締付ナットが螺合され、該機器締付ナットと機器締付ナットの間または該機器締付ナットと該ラック本体の一部との間に、該宅内機器を挟んで締付固定し収納することを特徴とする宅内機器用収納ラック。
【請求項２】
前記光ファイバケーブルを巻回して収納するケーブル収納棚が、前記ラック本体内に設けられたことを特徴とする請求項１記載の宅内機器用収納ラック。
【請求項３】
前記ケーブル収納棚から導出される光ファイバケーブルなどを結束して保持するためのケーブル保持棒が前記ラッチ本体内に設けられたことを特徴とする請求項２記載の宅内機器用収納ラック。
【請求項４】
テーブルタップを取り付けるためのテーブルタップ取付部が前記ラック本体の一部に設けられたことを特徴とする請求項１記載の宅内機器用収納ラック。
【考案の詳細な説明】
【技術分野】
【０００１】
本考案は、一般住宅などの宅内に光ファイバケーブルによる光配線を行なう際に使用する宅内機器用の収納ラックに関する。
【背景技術】
【０００２】
近年、一般住宅などの宅内に光ファイバケーブルによる光配線が行われつつあり、電話加入者の宅内配線においても、高速のインターネット接続用に光ファイバケーブルが敷設される場合が増加している。光ファイバケーブルを宅内に敷設する技術としては、下記特許文献１などで記載された技術が知られている。
【特許文献１】特開２００３−２７０４５１号公報
【考案の開示】
【考案が解決しようとする課題】
【０００３】
宅内に設置されたコンピュータをインターネットに光ファイバケーブルを通して接続する場合、通常、光ファイバケーブルの終端を接続し光信号を電気信号に或いは電気信号を光信号に変換する回線終端装置（ＯＮＵ）、宅内のコンピュータをインターネットなどのネットワークに接続してデータ信号を送受信するための加入者網終端装置（ＣＴＵ）、及び、電話機をインターネットを介して電話回線網に接続し光電話として使用するためのＶｏＩＰアダプタが宅内に設置される。
【０００４】
このため、宅内のコンピュータや電話機の周辺には、複数の宅内機器が光ファイバケーブル、電源線、ＬＡＮケーブルなどと共に配置されることとなる。しかしながら、これら複数の宅内機器は、比較的小型に形成されているものの、各々が別個に設置されるように形成され、且つ各機器には電源用のＡＣアダプタが接続されるため、コンピュータや電話機の周辺がこれらの機器や配線により非常に乱雑状態となり、整理が付きにくいという課題があった。
【０００５】
本考案は、上述の課題を解決するものであり、光ファイバケーブルに接続して使用される１個または複数の宅内機器を整理して良好に収納することが可能な宅内機器用収納ラックを提供することを目的とする。
【課題を解決するための手段】
【０００６】
本考案の宅内機器用収納ラックは、上記の目的を達成するために、宅内に引き込まれた光ファイバケーブルを接続して使用される１個または複数の宅内機器を収納する宅内機器用収納ラックであって、ラック本体内に該宅内機器を収納して固定する機器収納固定部が設けられ、該機器収納固定部には締付ねじ棒が水平に設けられ、該締付ねじ棒には手動により回転操作可能で且つ宅内機器の一部を押して締め付ける複数の機器締付ナットが螺合され、該機器締付ナットと機器締付ナットの間または該機器締付ナットと該ラック本体の一部との間に、該宅内機器を挟んで締付固定し収納することを特徴とする。
【０００７】
ここで、光ファイバケーブルを巻回して収納するケーブル収納棚を、上記ラック本体内に設けることができる。また、該ケーブル収納棚から導出される光ファイバケーブルなどを結束して保持するためのケーブル保持棒を上記ラッチ本体内に設けるとよい。さらに、テーブルタップを取り付けるためのテーブルタップ取付部を上記ラック本体の一部に設けることができる。
【考案の効果】
【０００８】
上記構成の宅内機器用収納ラックによれば、宅内に光ファイバケーブルが敷設・導入される環境において、その光ファイバケーブルに接続して使用される例えば回線終端装置を含む複数の宅内機器を宅内に設置する場合、宅内機器をラック本体内に収納し、締付ねじ棒に螺合される機器締付ナットを手動により回転操作して、機器締付ナットと機器締付ナットの間にまたは機器締付ナットとラック本体の一部との間に宅内機器を挟んで締付固定するから、複数の宅内機器を、簡単な操作だけで、ラック本体内の所定位置に、乱雑にならずに整理して、良好に収納・固定することができる。
【０００９】
また、光ファイバケーブルを巻回して収納するケーブル収納棚を、上記ラック本体内に設けることにより、光ファイバケーブルの余剰部分をラック本体内に整理して収納し、光ファイバケーブルの余剰部分が乱雑になる不具合を防止することができる。
【００１０】
さらに、ケーブル収納棚から導出される光ファイバケーブルなどを結束して保持するためのケーブル保持棒をラッチ本体内に設けることにより、各宅内機器に接続される光ファイバケーブルやＬＡＮケーブルなどを、ケーブル保持棒に整理して止めることができる。
【００１１】
さらに、テーブルタップを取り付けるためのテーブルタップ取付部をラック本体の一部に設けることにより、各宅内機器から導出され電源線またはＡＣアダプタの電源プラグを、ラック本体の一部に取り付けたテーブルタップに差し込み、宅内機器の電源線なども整理して収納し、電源線などが乱雑になることを防止することができる。
【考案を実施するための最良の形態】
【００１２】
以下、本考案の一実施形態を図面に基づいて説明する。図１は宅内機器用収納ラックの正面図を示し、図２はその右側面図を、図３はその平面図を示している。この収納ラックは、ラック本体１内の上部に、複数の宅内機器Ａ，Ｂ，Ｃ（ＯＮＵ，ＣＴＵ，ＶｏＩＰなど）を収納固定する機器収納固定部１ａを設け、その下側のケーブル収納棚１０に光ファイバケーブルＰを巻回して収納可能とし、さらに、ラック本体１の背面側下部に、宅内機器の電源接続用のテーブルタップＴを取り付けるためのテーブルタップ取付部１７を設けて構成される。
【００１３】
ラック本体１は、基本的には、矩形板状の底板４の両側に側板２，３を立設して内側に収納空間を形成し、その内側収納空間に３本の支持棒６〜８を左右方向に且つ水平に配置すると共に、支持棒６と７の間に平行に締付ねじ棒５を配置し、さらにラック本体１の後上部にケーブル保持棒９を水平に配置して形成されている。底板４の平面の大きさは、後述の３個の宅内機器Ａ，Ｂ，Ｃがその上に適度な間隔をおき並べて載置可能な大きさに形成される。これらの宅内機器Ａ，Ｂ，Ｃを載置・固定して収納する収納空間は、上記機器収納固定部１ａを形成するものである。
【００１４】
両側の側板２，３には、各支持棒６〜８、締付ねじ棒５及びケーブル保持棒９を支持するための支持孔が形成され、これらの支持孔に、各支持棒６〜８、締付ねじ棒５及びケーブル保持棒９の両端部が嵌着される。これにより、両側の側板２，３の内側の収納空間内に、各支持棒６〜８、締付ねじ棒５及びケーブル保持棒９が平行に配置され、取り付けられる。
【００１５】
各支持棒６〜８と締付ねじ棒５は、特に底板４と平行な一平面上に配置され、それらの棒上に宅内機器Ａ，Ｂ，Ｃを水平に載置し且つ保持可能とする。ケーブル保持棒９は、ラック本体１の後上部に水平に取り付けられ、ケーブル収納棚１０から引き出されて例えば宅内機器Ａに接続される光ファイバケーブルＰの端部近傍を、結束バンドなどにより結束するように設けられている。また、両側の側板２，３には、その全体に或いは任意の位置に肉抜き部（開口部）が形成され、収納空間の通気性を良くし、宅内機器の温度上昇を抑制するようにしている。
【００１６】
締付ねじ棒５の外周にはおねじが形成され、複数（例えば４個）の機器締付ナット１５がこの締付ねじ棒５に螺合される。これらの機器締付ナット１５は円板の中央にねじ孔（めねじ）を穿設し、締付ねじ棒５の外周部に螺合し、機器締付ナット１５を回転操作することにより、機器締付ナット１５が締付ねじ棒５の軸方向に移動する構造としている。機器締付ナット１５は、円板の外周部のローレットなどの凹凸を形成し、手動操作により容易に回動操作可能となっている。
【００１７】
これにより、例えば、図１に示すように、左端の機器締付ナット１５を回して左に移動させることによって、側板２の内側面との間の内側収納空間に、宅内機器Ａを固定し、同様に、中間部の１対の機器締付ナット１５を移動させてその間に、側板２，３の宅内機器Ｂを固定し、同様に、右端の機器締付ナット１５を回して右に移動させることにより、側板３の内側面との間に、宅内機器Ｃを固定することができる。
【００１８】
なお、上記の図例では４個の機器締付ナット１５を用いて３個の宅内機器Ａ，Ｂ，Ｃを固定したが、２個の機器締付ナット１５と側板２，３の内側面を用いて２個の宅内機器を固定することができ、或いは１個の機器締付ナット１５の両側面を支持面として使用すれば、３個の機器締付ナット１５と側板２，３の内側面を用いて３個の宅内機器を固定することもできる。また、ラック本体１、支持棒６，７，８、締付ねじ棒５、機器締付ナット１５など全ての部材は、ポリスチレンなどの合成樹脂により成形することができるが、締付ねじ棒５、機器締付ナット１５などの一部の部材は、金属で形成することもできる。
【００１９】
さらに、ラック本体１の機器収納空間の下側に、光ファイバケーブルＰを巻回して収納するためのケーブル収納棚１０が配設される。このケーブル収納棚１０は、棚板１１を、両側の側板２，３の内側下部に設けたスリット溝２ａ，３ａ内に嵌め込んで形成され、棚板１１には、図５、図６に示すように、その上面の円周上に４個のケーブル保持部１２を取り付けて構成される。このケーブル収納棚１０は、棚板１１上に光ファイバケーブルＰを板状に平坦に巻回して収納するように形成され、４個のケーブル保持部１２は、平坦に巻回された光ファイバケーブルＰを、棚板１１の平面上に揃えて保持する構造となっている。
【００２０】
さらに、ラック本体１の後部の背面側下部に、テーブルタップＴを固定するためのテーブルタップ取付部１７が設けられている。このテーブルタップ取付部１７は、底板４の縁部にリブ状に立設され、底板４の縁部にはスリット孔が形成され、そのスリット孔に結束バンドＫを挿通可能としている。テーブルタップＴはこのテーブルタップ取付部１７の背面側に接触して結束バンドＫにより締め付け固定される。つまり、図２に示すように、テーブルタップＴをテーブルタップ取付部１７の背面側に沿わせて当接させ、底板４のスリットとテーブルタップＴとテーブルタップ取付部１７の外周部を、結束バンドＫにより結束してテーブルタップＴを固定する。
【００２１】
次に、上記構成の宅内機器用収納ラックの使用形態を具体的に説明する。この収納ラックは、一般住宅などの宅内に光ファイバケーブルＰを敷設する際、宅内機器Ａ，Ｂ，Ｃや光ファイバケーブルＰの余剰部分などを収納するために使用される。
【００２２】
宅内機器Ａとしては、例えば、光ファイバケーブルの終端を接続し光信号を電気信号に或いは電気信号を光信号に変換する回線終端装置（ＯＮＵ）を例示することができる。また、宅内機器Ｂとしては、宅内のコンピュータをインターネットなどのネットワークに接続してデータ信号を送受信するための加入者網終端装置（ＣＴＵ）を例示することができる。また、宅内機器Ｃとしては、例えば、インターネットを介して電話機を電話回線網に接続し光電話として使用するためのＶｏＩＰアダプタを例示することができる。
【００２３】
このような３台の宅内機器Ａ，Ｂ、Ｃを宅内に設置する場合、図１のように、ラック本体１上に水平に装着された３本の支持棒６〜８の上に、宅内機器Ａ，Ｂ，Ｃが載置され、宅内機器Ａに接続される光ファイバケーブルＰの終端の余剰部分は、ケーブル収納棚１０内に巻回されて収納される。
【００２４】
これらの宅内機器Ａ，Ｂ、Ｃは、ラック本体１内の３本の支持棒６〜８と締付ねじ棒５の上に、並べて載置されるが、図１に示すように、各々の幅、高さ、奥行きが相違しているため、機器締付ナット１５により、宅内機器Ａ，Ｂ，Ｃを両側から挟み，締め付けるように固定する。
【００２５】
例えば、宅内機器Ａ、Ｃの場合、側板２と機器締付ナット１５との間に宅内機器Ａ、Ｃを載置し、機器締付ナット１５を側板２または３側に押して締め付けるように、機器締付ナット１５を回して固定する。また、宅内機器Ｂの場合、機器締付ナット１５と機器締付ナット１５との間に宅内機器Ｂを載置し、一方の機器締付ナット１５を他方の機器締付ナット１５側に押して締め付けるように、機器締付ナット１５を回して固定することとなる。
【００２６】
光ファイバケーブルＰの終端が宅内機器Ａに接続される場合、光ファイバケーブルＰの余剰部分は、図５，図６のように、ケーブル収納棚１０に巻回して収納される。そのケーブル収納棚１０から引き出された光ファイバケーブルＰの端部近傍は、図４のように上方に伸び、ケーブル保持棒９に接触する。このため、光ファイバケーブルＰとケーブル保持棒９が交差する箇所を、結束バンドなどにより結束することができる。これにより、ケーブル収納棚１０から引き出された光ファイバケーブルＰを所定位置に保持することができる。
【００２７】
さらに、ラック本体１の背面側下部のテーブルタップ取付部１７に、テーブルタップＴが固定される。テーブルタップＴは、図２〜図４に示すように、テーブルタップ取付部１７の背面側に沿わせて当接させ、底板４のスリット孔とテーブルタップＴとテーブルタップ取付部１７の外周部を、結束バンドＫにより結束してテーブルタップＴを固定する。
【００２８】
テーブルタップＴはその差し込み側を背面側に向けて固定され、テーブルタップＴの背面に、宅内機器Ａ，Ｂ，Ｃの電源プラグが差し込まれる。宅内機器Ａ，Ｂ，Ｃの電源にＡＣアダプタが使用される場合は、ＡＣアダプタのプラグが差し込まれる。宅内機器Ａ，Ｂ，Ｃの電源線の余剰部分は、巻回し、結束バンドを用いてその巻回部分をケーブル保持棒９に結束することもできる。
【００２９】
このように、宅内に光ファイバケーブルによる光配線を行なう際、その光配線に付随して設置される宅内機器Ａ，Ｂ，Ｃがある場合、光ファイバケーブルＰの余剰部分と共に、宅内機器Ａ，Ｂ，Ｃを収納ラックのラック本体１上に固定して収納できるため、コンピュータや電話機の周辺に光ファイバケーブルＰや宅内機器Ａ，Ｂ，Ｃが乱雑にならず、各機器を整理された状態で収納することができる。
【００３０】
また、宅内機器Ａ，Ｂ，Ｃは、締付ねじ棒５に螺合した機器締付ナット１５を回して締付固定されるため、幅などのサイズが異なる宅内機器であっても、適用することができ、簡単な作業で宅内機器や光ファイバケーブルＰの余剰部分を容易に固定ることができる。
【００３１】
図７は他の実施形態の収納ラックの正面図を示している。この収納ラックでは、底板２４の両側に側板２２，２３が立設され、これらの側板２２，２３間に、上記と同様、締付ねじ棒２５が水平に固定されるが、この締付ねじ棒２５には、６個の機器締付ナット２６が螺合している。したがって、図７に示すように、隣接する１対の機器締付ナット２６，２６の間で挟むように、宅内機器Ａ，Ｂ，Ｃを収納し、一方の機器締付ナット２６を回して締付固定することができる。
【００３２】
また、両側の側板２２，２３は、上記実施形態より縦長で奥行きを長く形成される。これにより、ケーブル収納棚２０の後部下側に、上記より高さの高い収納空間が形成され、その後部下側の収納空間に、テーブルタップ収納部２７が形成される。
【００３３】
このテーブルタップ収納部２７には、テーブルタップＴが収納され、結束バンドなどで締付固定され、テーブルタップＴの差し込み側は、背面側または上面側とすることができる。テーブルタップＴの差し込み側を上面にする場合であって、テーブルタップＴにＡＣアダプタが差し込まれる場合には、テーブルタップ収納部２７の上部空間に、ＡＣアダプタが収容可能な空間を形成する。この収納ラックによれば、テーブルタップＴがラック本体内に収納されると共に、機器の電源線のＡＣアダプタをもラック本体内に収納することができる。
【００３４】
なお、図８に示すように、ケーブル収納棚２０の後部下側に形成した収納空間は、ケーブル収納部２８として、ＬＡＮケーブルなどの信号ケーブル、電源線などの電源ケーブルを収納するように構成することもできる。
【図面の簡単な説明】
【００３５】
【図１】本発明の一実施形態を示す宅内機器用収納ラックの正面図である。
【図２】同収納ラックの右側面図である。
【図３】同収納ラックの平面図である。
【図４】図１のIV-IV断面図である。
【図５】ケーブル収納棚の側面図である。
【図６】ケーブル収納棚の平面図である。
【図７】他の実施形態の宅内機器用収納ラックの正面図である。
【図８】他の実施形態の宅内機器用収納ラックの正面図である。
【符号の説明】
【００３６】
１      ラック本体
１ａ    機器収納固定部
２、３  側板
４      底板
６，７，８    支持棒
９      ケーブル保持棒
１０    ケーブル収納棚
１２    ケーブル保持部
１５    機器締付ナット
１７    テーブルタップ取付部
Ａ、Ｂ、Ｃ  宅内機器
Ｐ      光ファイバケーブル
Ｔ      テーブルタップ
【図１】
0003132892.tif 000003
【図２】
0003132892.tif 000004
【図３】
0003132892.tif 000005
【図４】
0003132892.tif 000006
【図５】
0003132892.tif 000007
【図６】
0003132892.tif 000008
【図７】
0003132892.tif 000009
【図８】
0003132892.tif 000010